(57)【要約】 【課題】  シールドシェルと相手側シェルとの接触信頼性の向上を図る。【解決手段】  端子金具１５が収容される端子保持部１１と、端子保持部１１を包囲する筒部１２との隙間にシールドシェル２０を収容し、端子保持部１１と筒部１２とを連結する支持部１３を、シールドシェル２０の逃がし溝２１に入り込ませた。シールドシェル２０のうち逃がし溝２１が開口する端縁部とは反対側（前側）の端縁部が、相手側シェルとの接続部となる。この接続部は、逃がし溝２１が開口していないので、全周に亘って連続する形態とすることによって剛性を高めることができる。よって、接続部が変形することに起因して、シールドシェル２０と相手側シェルとの間で接触不良を来すことはない。【選択図】  図１
2006085938.tif 000002
【特許請求の範囲】
【請求項１】
端子金具が収容される端子保持部と、前記端子保持部を包囲する筒部とを支持部を介して一体化した形態のハウジングを有し、
筒状をなすとともに一方の端縁部に開口する逃がし溝が形成されたシールドシェルを、前記端子保持部と前記筒部との間の隙間に収容し、
前記逃がし溝に前記支持部を入り込ませるようにしたシールドコネクタにおいて、
前記シールドシェルのうち前記逃がし溝が開口する端縁部とは反対側の端縁部を、相手側シェルとの接続部としたことを特徴とするシールドコネクタ。
【請求項２】
端子金具を収容するハウジングと、
筒状をなし、前記ハウジングに対し前記端子金具を包囲するように組み付けられるシールドシェルと、
前記シールドシェルの組付け過程では弾性変形し、前記シールドシェルが組付けられた状態では弾性復帰する抜止片と、
前記シールドシェルが組み付けられた状態では、前記抜止片を係止させることで前記シールドシェルの前記ハウジングからの抜けを規制可能な係止部とを備えてなるシールドコネクタにおいて、
前記抜止片を前記係止部に当接させる方向へ付勢することで、前記シールドシェルが前記ハウジングに対して組付け方向に沿って相対変位することを規制する弾性規制手段を備えていることを特徴とするシールドコネクタ。
【発明の詳細な説明】
【技術分野】
【０００１】
本発明は、シールドコネクタに関するものである。
【背景技術】
【０００２】
シールドコネクタとして、ハウジングの内部に端子金具を収容するとともに、同じくハウジング内に端子金具を包囲するように筒状をなすシールドシェルを収容したものが知られている。この種のシールドコネクタとしては、特許文献１に開示されている。
【特許文献１】特開平７−２６３０８２号公報
【発明の開示】
【発明が解決しようとする課題】
【０００３】
上記のシールドコネクタのハウジングは、端子金具が収容される端子保持部と、端子保持部を包囲する筒部とを支持部を介して一体に形成した構造をなし、シールドシェルは端子保持部の外周と筒部の内周との間の筒状の隙間に収容される。
【０００４】
このシールドコネクタでは、シールドシェルが収容される筒状の隙間に支持部が存在するため、シールドシェルには、その一端縁から他端側へ切り込んだ形態の逃がし溝が形成され、ハウジングにシールドシェルを収容した状態では、逃がし溝内に支持部が入り込むようになっているのであるが、この逃がし溝が開口する側の端縁部は全周に亘って連続していないため、剛性が低く、変形する虞がある。
【０００５】
とこが、従来では、この剛性の低い側の端縁部、即ち逃がし溝が開口している側の端縁部を相手側コネクタのシェルに接続させるようになっていた。そのため、逃がし溝の開口する側の端縁部が変形することに起因して、相手側シェルとの接触不良を来すことが懸念される。
【０００６】
また、上記とは別の課題として、シールドシェルをハウジングに対して取付け状態に保持する手段として、シールドシェルにその一部を斜めに切り起こすことによって形成したランスを、ハウジングに形成した係止部に係止させる構造が考えられる。しかし、ランスは、シールドシェルが正規の取付け位置に到達する直前で、取付け方向とほぼ平行に姿勢に弾性変形した状態から、取付け方向に対して斜め方向となる姿勢へ弾性復帰することから、ランスの先端とハウジングの係止部との間に、取付け方向の隙間が生じることは避けられない。したがって、取付けられたシールドシェルが、この隙間の寸法分だけガタ付きを生じ、ひいては、相手側シェルとの接触不良を来すことが懸念される。
【０００７】
本発明は上記のような事情に基づいて完成されたものであって、シールドシェルと相手側シェルとの接触信頼性の向上を図ることを目的とする。
【課題を解決するための手段】
【０００８】
上記の目的を達成するための手段として、請求項１の発明は、端子金具が収容される端子保持部と、前記端子保持部を包囲する筒部とを支持部を介して一体化した形態のハウジングを有し、筒状をなすとともに一方の端縁部に開口する逃がし溝が形成されたシールドシェルを、前記端子保持部と前記筒部との間の隙間に収容し、前記逃がし溝に前記支持部を入り込ませるようにしたシールドコネクタにおいて、前記シールドシェルのうち前記逃がし溝が開口する端縁部とは反対側の端縁部を、相手側シェルとの接続部としたところに特徴を有する。
【０００９】
請求項２の発明は、端子金具を収容するハウジングと、筒状をなし、前記ハウジングに対し前記端子金具を包囲するように組み付けられるシールドシェルと、前記シールドシェルの組付け過程では弾性変形し、前記シールドシェルが組付けられた状態では弾性復帰する抜止片と、前記シールドシェルが組み付けられた状態では、前記抜止片を係止させることで前記シールドシェルの前記ハウジングからの抜けを規制可能な係止部とを備えてなるシールドコネクタにおいて、前記抜止片を前記係止部に当接させる方向へ付勢することで、前記シールドシェルが前記ハウジングに対して組付け方向に沿って相対変位することを規制する弾性規制手段を備えているところに特徴を有する。
【発明の効果】
【００１０】
＜請求項１の発明＞
相手側シェルとの接続部である端縁部は、逃がし溝が開口していないので、全周に亘って連続する形態とすることによって剛性を高めることができる。したがって、接続部が変形することに起因して、シールドシェルと相手側シェルとの間で接触不良を来すことはない。
【００１１】
＜請求項２の発明＞
弾性規制手段を設けたことにより、シールドシェルがハウジングに対して組付け方向に沿って相対変位することが規制されるので、シールドシェルのガタ付きが防止される。したがって、シールドシェルのガタ付きに起因して、シールドシェルと相手側シェルとの間で接触不良を来すことはない。
【発明を実施するための最良の形態】
【００１２】
＜実施形態１＞
以下、本発明を具体化した実施形態１を図１乃至図１２を参照して説明する。本実施形態のシールドコネクタは、ハウジング１０と端子金具１５とシールドシェル２０とを備えて構成されている。  
ハウジング１０は、合成樹脂製であり、端子金具１５が収容されるブロック状の端子保持部１１と、端子保持部１１を包囲する角形の筒部１２とを支持部１３を介して一体化した形態である。支持部１３は、端子保持部１１の上下両面に、夫々、左右一対ずつ設けられている。端子保持部１１内には、後方から端子金具１５が挿入されてランス１４により抜止め状態に保持されている。各端子金具１５の後端に接続された電線１６は、端子保持部１１の後端面から後方へ導出されている。筒部１２の左右両側壁の内面には、段差状に凹んだ形態の係止部１７が形成されている。
【００１３】
端子保持部１１と筒部１２との間に構成される角筒状の嵌合空間１８内には、筒部１２の内周に沿って角筒状のシールドシェル２０が収容されている。シールドシェル２０は、金属板材を曲げ加工したものであり、その上下両板部には、後端縁から前方へスリット状に切り欠いた形態の逃がし溝２１が、支持部１３と対応して形成されている。シールドシェル２０の上下両板部には、逃がし溝２１の前端から後方へ斜め内側へ片持ち状に延出した形態の弾性規制片２２（本発明の構成要件である弾性規制手段）が形成されている。同じく、上下両板部には、その前端に近い部分を内側へ球面状に叩き出した形態の接点２３が形成されている。一方、シールドシェル２０の左右両板部には、その高さ方向中央部分を外側へ切り起こすことにより、斜め前方へ片持ち状に延出する形態の抜止片２４が形成されている。同じく左右両側板には、内側へ球面状に叩き出した形態の接続片２５が形成されている。また、上下及び左右の各板部には、夫々、その前端縁部を外面側へ密着折り返し状に曲げ加工することによって補強部２６が形成されている。
【００１４】
ハウジング１０の後端部には、金属製の角筒状をなす連結シェル３０がブラケット３１によって組み付けられている。連結シェル３０の略前半部分は、後方から嵌合空間１８内に嵌合され、筒部１２の内周とシールドシェル２０との隙間に嵌入され、シールドシェル２０の接続片２５に対して導通可能に接続されている。また、連結シェル３０の後端部には、編組線からなる筒状のシールド部材３３の端末が導通可能に固着されている。シールド部材３３は、端子保持部１１の後端面から導出されている複数本の電線１６を一括して包囲してシールドするものである。また、ブラケット３１の後端部には、シールド部材３３を包囲する筒状のプロテクタ３４の端末が固着されている。
【００１５】
シールドコネクタの組付けに際しては、まず、シールドシェル２０をハウジング１０の前方から組み付ける。このとき、各逃がし溝２１を支持部１３に嵌合させるようにする。シールドシェル２０を組み付ける過程では、左右両抜止片２４が、筒部１２の内面に当接することにより内側へ（シールドシェル２０と面一となるように）弾性撓みし、ハウジング１０に対するシールドシェル２０の組付け方向と略平行な向きとなる。
【００１６】
そして、シールドシェル２０が正規の組付け位置（逃がし溝２１の弾性規制片２２が支持部１３の前面に当接する位置）に達すると、抜止片２４が外面側へ弾性復帰して係止部１７に対して後方から係止する。この抜止片２４と係止部１７との係止により、シールドシェル２０の前方への抜けが規制される。また、このとき、弾性規制片２２が支持部１３に対して弾性撓みしつつ当接するため、その弾性規制片２２の弾性復元力によりシールドシェル２０がハウジング１０に対して相対的に前方へ変位し、抜止片２４の前端を係止部１７に当接させる。これにより、シールドシェル２０がハウジング１０に対して前後方向への変位を規制された状態に保持される。
【００１７】
この後、各端子金具１５を端子保持部１１内に挿入するとともに、連結シェル３０にシールド部材３３を固着し、その連結シェル３０をハウジング１０に組み付ける。組み付けられた連結シェル３０は、筒部１２の内面とシールドシェル２０の外面との隙間に進入し、シールドシェル２０の接続片２５に対して導通可能に接続される。そして、ブラケット３１によりプロテクタ３４をハウジング１０に組み付ける。以上により、シールドコネクタの組付けが完了する。
【００１８】
このシールドコネクタに対しては、その前方から相手側ハウジング（図示せず）が嵌合される。嵌合に際しては、相手側ハウジングのフード部が嵌合空間１８内に進入し、フード部の外周に沿って組み付けられている相手側シェルがシールドシェル２０の内周の接点２３に対して導通可能に接続される。
【００１９】
本実施形態のシールドコネクタは、端子保持部１１と、端子保持部１１を包囲する筒部１２とを支持部１３を介して一体化した形態のハウジング１０を有し、筒状をなすとともに一方の端縁部に開口する逃がし溝２１が形成されたシールドシェル２０を、端子保持部１１と筒部１２との間の隙間（嵌合空間１８）に収容するとともに、逃がし溝２１に支持部１３を入り込ませるようにしたものであって、シールドシェル２０のうち逃がし溝２１が開口する端縁部とは反対側（前側）の端縁部を、相手側シェルとの接続部としているところに特徴を有する。相手側シェルとの接続部である前端部は、逃がし溝２１が開口していないので、全周に亘って連続する形態とすることによって剛性が高められている。したがって、接続部が変形することに起因して、シールドシェル２０と相手側シェルとの間で接触不良を来すことはない。
【００２０】
また、ハウジング１０に対し端子金具１５を包囲するようにシールドシェル２０を組み付ける過程では、抜止片２４が弾性変形し、シールドシェル２０が組付けられた状態では弾性復帰した抜止片２４が、係止部１７に係止することでシールドシェル２０のハウジング１０からの抜けを規制するようになっているのであるが、本実施形態のシールドコネクタは、抜止片２４を係止部１７に当接させる方向へ付勢することで、シールドシェル２０がハウジング１０に対して組付け方向に沿って相対変位することを規制する弾性規制片２２を備えているところに特徴を有している。このような弾性規制片２２を設けたことにより、シールドシェル２０がハウジング１０に対して組付け方向に沿って相対変位することが規制されるので、シールドシェル２０のガタ付きが防止される。したがって、シールドシェル２０のガタ付きに起因して、シールドシェル２０と相手側シェルとの間で接触不良を来すことはない。
【００２１】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。  
（１）請求項１の発明によれば、シールドシェルに抜止片を設けない構成としてもよい。  
（２）請求項１の発明によれば、シールドシェルに弾性規制片（弾性規制手段）を設けない構成としてもよい。  
（３）請求項２の発明は、シールドシェルに逃がし溝が形成されていないものにも適用できる。  
（４）請求項２の発明によれば、抜止片はハウジングに形成してもよい。  
（５）請求項２の発明によれば、弾性規制片はハウジングに形成することもできる。  
（６）請求項２の発明によれば、シールドシェルはハウジングの後方から組み付けるようにしてもよい。
【図面の簡単な説明】
【００２２】
【図１】実施形態１の断面図
【図２】ハウジングにシールドシェルを組み付けた状態の縦断面図
【図３】ハウジングからシールドシェルを離脱した状態の縦断面図
【図４】ハウジングにシールドシェルを組み付けた状態の水平断面図
【図５】ハウジングからシールドシェルを離脱した状態の水平断面図
【図６】ハウジングにシールドシェルを組み付けた状態の正面図
【図７】ハウジングの正面図
【図８】シールドシェルの正面図
【図９】ハウジングにシールドシェルを組み付けた状態の背面図
【図１０】ハウジングの背面図
【符号の説明】
【００２３】
１０…ハウジング
１１…端子保持部
１２…筒部
１３…支持部
１５…端子金具
１７…係止部
２０…シールドシェル
２１…逃がし溝
２２…弾性規制片（弾性規制手段）
２４…抜止片
【図１】
2006085938.tif 000003
【図２】
2006085938.tif 000004
【図３】
2006085938.tif 000005
【図４】
2006085938.tif 000006
【図５】
2006085938.tif 000007
【図６】
2006085938.tif 000008
【図７】
2006085938.tif 000009
【図８】
2006085938.tif 000010
【図９】
2006085938.tif 000011
【図１０】
2006085938.tif 000012